(57)【要約】【課題】  簡単な構成で、より望ましい音声を用いて読み上げを行えるようにすること。【解決手段】  携帯電話１００は、読み上げ用音声を指定するための読み上げ用音声指定音声を示すデータを送信する。サーバ１０８は、メモリ１１０に記憶した複数種類の音声サンプルデータ１１１、１１２の中から、携帯電話１００から受信した読み上げ用音声を指定する音声に最も類似する音声サンプルデータを決定して、前記決定した音声サンプルデータを携帯電話１００に送信する。携帯電話１００は、前記音声サンプルデータの音声を用いて、電子メールの文字データを音声に変換して出力する。【選択図】  図１
2006195507.tif 000002
【特許請求の範囲】
【請求項１】
読み上げ用音声のデータである複数種類の音声サンプルデータを記憶する第１記憶手段と、前記第１記憶手段に記憶した音声サンプルデータの中から、第２通信手段から受信した読み上げ用音声を指定するための音声である読み上げ用音声指定音声に最も類似する音声サンプルデータを決定する音声決定手段と、前記第２通信手段から読み上げ用音声指定音声データを受信すると共に前記音声決定手段が決定した音声サンプルデータを前記第２通信手段に送信する第１送受信手段とを有する第１通信手段と、
前記読み上げ用音声指定音声データを入力する入力手段と、前記入力手段が入力した読み上げ用音声指定音声データを送信すると共に前記音声サンプルデータを受信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステム。
【請求項２】
前記入力手段は更に音程を指定するための音程指定データを入力すると共に、前記第２送受信手段は更に前記入力手段が入力した前記音程指定データを送信し、
前記第１送受信手段は前記第２通信手段からの音程指定データを受信し、前記音声決定手段は前記読み上げ用音声指定音声データに基づいて決定した音声サンプルデータの音程を前記音程指定データに基づいて修正することにより最終の音声サンプルデータを決定し、前記第１送受信手段は前記音声決定手段が決定した最終の音声サンプルデータを前記第２通信手段に送信し、
前記音声出力手段は前記第１通信手段から受信した最終の音声サンプルデータの音声を用いて、前記文字データを音声に変換して出力することを特徴とする請求項１記載の音声サービスシステム。
【請求項３】
複数種類の音色データ及び音程データを記憶する第１記憶手段と、前記第１記憶手段に記憶した音色データ及び音程データの中の第２通信手段によって指定された音色データ及び音程データによって決定される音声を音声サンプルデータとして決定する音声決定手段と、前記第２通信手段から前記音色及び音程の指定を受信すると共に前記音声決定手段が決定した音声サンプルデータを前記第２通信手段に送信する第１送受信手段とを有する第１通信手段と、
音色及び音程を指定するための音色指定データ及び音程指定データを入力するための入力手段と、前記入力手段で入力した音色指定データ及び音程指定データを送信すると共に音声サンプルデータを受信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステム。
【請求項４】
前記第１通信手段は、複数種類の前記音声サンプルデータを記憶する第１記憶手段を有し、前記音声決定手段は、前記第１記憶手段に記憶した複数種類の音声サンプルデータの中から、前記第２通信手段から受信した音色指定データ及び音程指定データに基づいて決定される音色及び音程に最も類似する音声の音声サンプルデータを選択して決定することを特徴とする請求項３記載の音声サービスシステム。
【請求項５】
前記第２通信手段は前記文字データを記憶する第２記憶手段を有し、前記音声出力手段は、前記第２送受信手段で受信した音声サンプルデータの音声を用いて、前記第３記憶手段に記憶した文字データを音声に変換して出力することを特徴とする請求項１乃至４のいずれか一に記載の音声サービスシステム。
【請求項６】
各々固有の識別情報が対応付けられた複数種類の音声サンプルデータを記憶する第１記憶手段と、前記第１記憶手段に記憶した音声サンプルデータの中から、第１送受信手段が第２通信手段から受信した識別情報に対応する音声サンプルデータを選択して決定する音声決定手段と、前記第２通信手段から識別情報を受信すると共に前記音声決定手段が決定した音声サンプルデータを前記第２通信手段に送信する第１送受信手段とを有する第１通信手段と、
前記識別情報を入力する入力手段と、識別情報及び文字データが含まれるメールと前記音声サンプルデータを受信すると共に前記入力手段が入力した識別情報を送信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステム。
【請求項７】
前記第２通信手段は、前記識別情報に対応付けて音声サンプルデータを記憶する第２記憶手段を有し、
前記音声出力手段は、前記第２送受信手段が受信したメールに含まれる識別情報に対応する音声サンプルデータが前記第２記憶手段に記憶されている場合、前記識別情報に対応して前記第２記憶手段に記憶している音声サンプルデータの音声を用いて、前記メールに含まれる文字データを音声に変換して出力することを特徴とする請求項６記載の音声サービスシステム。
【請求項８】
読み上げ用音声を指定するための音声である読み上げ用音声指定音声を表すデータである読み上げ用音声指定音声データを入力するための入力手段と、前記入力手段が入力した読み上げ用音声指定音声データを外部に送信すると共に読み上げに使用する音声のデータである音声サンプルデータを外部から受信する送受信手段と、前記送受信手段で受信した音声サンプルデータの音声を用いて、文字データを音声に変換して出力する音声出力手段とを備えて成ることを特徴とする通信装置。
【請求項９】
音色及び音程を指定するための音色指定データ及び音程指定データを入力するための入力手段と、前記入力手段で入力した音色指定データ及び音程指定データを外部に送信すると共に読み上げに使用する音声のデータである音声サンプルデータを外部から受信する送受信手段と、前記送受信手段で受信した音声サンプルデータの音声を用いて、文字データを音声に変換して出力する音声出力手段とを備えて成ることを特徴とする通信装置。
【請求項１０】
前記文字データを記憶する記憶手段を有し、前記音声出力手段は、前記送受信手段で受信した音声サンプルデータの音声を用いて、前記記憶手段に記憶した文字データを音声に変換して出力することを特徴とする請求項８又は９記載の通信装置。
【請求項１１】
音声サンプルデータに対応付けられた固有の識別情報を入力するための入力手段と、識別情報及び文字データが含まれるメールと前記音声サンプルデータを外部から受信すると共に前記入力手段が入力した識別情報を外部へ送信する送受信手段と、前記送受信手段で受信した前記識別情報に対応する音声サンプルデータの音声を用いて、文字データを音声に変換して出力する音声出力手段とを備えて成ることを特徴とする通信装置。
【請求項１２】
前記識別情報に対応付けて音声サンプルデータを記憶する第２記憶手段を有し、
前記音声出力手段は、前記送受信手段が受信したメールに含まれる識別情報に対応する音声サンプルデータが前記記憶手段に記憶されている場合、前記識別情報に対応する前記記憶手段に記憶された音声サンプルデータの音声を用いて、前記メールに含まれる文字データを音声に変換して出力することを特徴とする請求項１１記載の通信装置。
【発明の詳細な説明】
【技術分野】
【０００１】
本発明は、電子メール等に含まれる文字データを音声に変換して出力する音声サービスシステム及び前記システムに適した通信装置に関する。
【背景技術】
【０００２】
近年、よりよい電子メールコミュニケーションのために、電子メールや文字データを音声で出力する読み上げ機能を搭載した携帯電話が開発されている（例えば、特許文献１〜３参照）。
しかしながら、読み上げに使用する音声は、携帯電話にあらかじめ登録された数種類の音声から選択するもので、読み上げ用音声の種類を拡張することはできず、ユーザ好みの音声にする等の多様な音声出力はできないという問題がある。
【０００３】
また、メール読み上げ機能においては、電子メールの受信側においてしかメールの読み上げ用音声を選択できず、送信側は読み上げ音声を決定できない。したがって、メール送信者の感情や抑揚等の情報を電子メールに付加することができず、電子メールに付加する情報が大幅に制限されるという問題がある。
また、特許文献１には、指定された音質パラメータに一致する音質パラメータを用いてメールを読み上げるようにしているため、指定される音質パラメータに一致するような音質パラメータを予め多数用意しておく必要があり、システムが大がかりになる等の問題がある。
【０００４】
【特許文献１】特開２００４−１８５０５５号公報
【特許文献２】特開２００３−３３３２０３号公報
【特許文献３】特開２００１−３４２８０号公報
【発明の開示】
【発明が解決しようとする課題】
【０００５】
本発明は、前記問題点に鑑み成されたもので、簡単な構成で、より望ましい音声を用いて読み上げを行えるようにすることを課題としている。
【課題を解決するための手段】
【０００６】
本発明によれば、読み上げ用音声のデータである複数種類の音声サンプルデータを記憶する第１記憶手段と、前記第１記憶手段に記憶した音声サンプルデータの中から、第２通信手段から受信した読み上げ用音声を指定するための音声である読み上げ用音声指定音声に最も類似する音声サンプルデータを決定する音声決定手段と、前記第２通信手段から読み上げ用音声指定音声データを受信すると共に前記音声決定手段が決定した音声サンプルデータを前記第２通信手段に送信する第１送受信手段とを有する第１通信手段と、
前記読み上げ用音声指定音声データを入力する入力手段と、前記入力手段が入力した読み上げ用音声指定音声データを送信すると共に前記音声サンプルデータを受信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステムが提供される。
【０００７】
第１通信手段では、音声決定手段は第１記憶手段に記憶した音声サンプルデータの中から、第２通信手段から受信した読み上げ用音声を指定するための音声である読み上げ用音声指定音声に最も類似する音声サンプルデータを決定し、第１送受信手段は前記音声決定手段が決定した音声サンプルデータを前記第２通信手段に送信する。第２通信手段では、第２送受信手段は前記音声サンプルデータを受信し、音声出力手段は前記第２送受信手段で受信した音声サンプルデータの音声を用いて、文字データを音声に変換して出力する。
【０００８】
ここで、前記入力手段は更に音程を指定するための音程指定データを入力すると共に、前記第２送受信手段は更に前記入力手段が入力した前記音程指定データを送信し、前記第１送受信手段は前記第２通信手段からの音程指定データを受信し、前記音声決定手段は前記読み上げ用音声指定音声データに基づいて決定した音声サンプルデータの音程を前記音程指定データに基づいて修正することにより最終の音声サンプルデータを決定し、前記第１送受信手段は前記音声決定手段が決定した最終の音声サンプルデータを前記第２通信手段に送信し、前記音声出力手段は前記第１通信手段から受信した最終の音声サンプルデータの音声を用いて、前記文字データを音声に変換して出力するように構成してもよい。
【０００９】
また、本発明によれば、複数種類の音色データ及び音程データを記憶する第１記憶手段と、前記第１記憶手段に記憶した音色データ及び音程データの中の第２通信手段によって指定された音色データ及び音程データによって決定される音声を音声サンプルデータとして決定する音声決定手段と、前記第２通信手段から前記音色及び音程の指定を受信すると共に前記音声決定手段が決定した音声サンプルデータを前記第２通信手段に送信する第１送受信手段とを有する第１通信手段と、
音色及び音程を指定するための音色指定データ及び音程指定データを入力するための入力手段と、前記入力手段で入力した音色指定データ及び音程指定データを送信すると共に音声サンプルデータを受信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステムが提供される。
【００１０】
第１通信手段では、音声決定手段は第１記憶手段に記憶した音色データ及び音程データの中の第２通信手段によって指定された音色データ及び音程データによって決定される音声を音声サンプルデータとして決定し、第２送受信手段は前記音声決定手段が決定した音声サンプルデータを前記第２通信手段に送信する。第２通信手段では、第２送受信手段は入力手段で入力した音色指定データ及び音程指定データを送信すると共に音声サンプルデータを受信し、音声出力手段は前記第２送受信手段で受信した音声サンプルデータの音声を用いて、文字データを音声に変換して出力する。
【００１１】
ここで、前記第１通信手段は、複数種類の前記音声サンプルデータを記憶する第１記憶手段を有し、前記音声決定手段は、前記第１記憶手段に記憶した複数種類の音声サンプルデータの中から、前記第２通信手段から受信した音色指定データ及び音程指定データに基づいて決定される音色及び音程に最も類似する音声の音声サンプルデータを選択して決定するように構成してもよい。
また、前記第２通信手段は前記文字データを記憶する第２記憶手段を有し、前記音声出力手段は、前記第２送受信手段で受信した音声サンプルデータの音声を用いて、前記第３記憶手段に記憶した文字データを音声に変換して出力するように構成してもよい。
【００１２】
また、本発明によれば、各々固有の識別情報が対応付けられた複数種類の音声サンプルデータを記憶する第１記憶手段と、前記第１記憶手段に記憶した音声サンプルデータの中から、第１送受信手段が第２通信手段から受信した識別情報に対応する音声サンプルデータを選択して決定する音声決定手段と、前記第２通信手段から識別情報を受信すると共に前記音声決定手段が決定した音声サンプルデータを前記第２通信手段に送信する第１送受信手段とを有する第１通信手段と、
前記識別情報を入力する入力手段と、識別情報及び文字データが含まれるメールと前記音声サンプルデータを受信すると共に前記入力手段が入力した識別情報を送信する第２送受信手段と、前記第２送受信手段で受信した音声サンプルデータの音声を用いて、文字データを音声に変換して出力する音声出力手段とを有する第２通信手段と、
を備えて成ることを特徴とする音声サービスシステムが提供される。
【００１３】
第１通信手段では、音声決定手段は第１記憶手段に記憶した音声サンプルデータの中から、第１送受信手段が第２通信手段から受信した識別情報に対応する音声サンプルデータを選択して決定し、第１送受信手段は前記第２通信手段から識別情報を受信すると共に前記音声決定手段が決定した音声サンプルデータを前記第２通信手段に送信する。第２通信手段では、第２送受信手段は識別情報及び文字データが含まれるメールと前記音声サンプルデータを受信すると共に前記入力手段が入力した識別情報を送信し、音声出力手段は前記第２送受信手段で受信した音声サンプルデータの音声を用いて、文字データを音声に変換して出力する。
【００１４】
ここで、前記第２通信手段は、前記識別情報に対応付けて音声サンプルデータを記憶する第２記憶手段を有し、前記音声出力手段は、前記第２送受信手段が受信したメールに含まれる識別情報に対応する音声サンプルデータが前記第２記憶手段に記憶されている場合、前記識別情報に対応して前記第２記憶手段に記憶している音声サンプルデータの音声を用いて、前記メールに含まれる文字データを音声に変換して出力するように構成してもよい。
【００１５】
また、本発明によれば、読み上げ用音声を指定するための音声である読み上げ用音声指定音声を表すデータである読み上げ用音声指定音声データを入力するための入力手段と、前記入力手段が入力した読み上げ用音声指定音声データを外部に送信すると共に読み上げに使用する音声のデータである音声サンプルデータを外部から受信する送受信手段と、前記送受信手段で受信した音声サンプルデータの音声を用いて、文字データを音声に変換して出力する音声出力手段とを備えて成ることを特徴とする通信装置が提供される。
送受信手段は入力手段が入力した読み上げ用音声指定音声データを外部に送信すると共に読み上げに使用する音声のデータである音声サンプルデータを外部から受信し、音声出力手段は前記送受信手段で受信した音声サンプルデータの音声を用いて、文字データを音声に変換して出力する。
【００１６】
また、本発明によれば、音色及び音程を指定するための音色指定データ及び音程指定データを入力するための入力手段と、前記入力手段で入力した音色指定データ及び音程指定データを外部に送信すると共に読み上げに使用する音声のデータである音声サンプルデータを外部から受信する送受信手段と、前記送受信手段で受信した音声サンプルデータの音声を用いて、文字データを音声に変換して出力する音声出力手段とを備えて成ることを特徴とする通信装置が提供される。
送受信手段は入力手段で入力した音色指定データ及び音程指定データを外部に送信すると共に読み上げに使用する音声のデータである音声サンプルデータを外部から受信し、音声出力手段は前記送受信手段で受信した音声サンプルデータの音声を用いて、文字データを音声に変換して出力する。
【００１７】
ここで、前記文字データを記憶する記憶手段を有し、前記音声出力手段は、前記送受信手段で受信した音声サンプルデータの音声を用いて、前記記憶手段に記憶した文字データを音声に変換して出力するように構成してもよい。
また、本発明によれば、音声サンプルデータに対応付けられた固有の識別情報を入力するための入力手段と、識別情報及び文字データが含まれるメールと前記音声サンプルデータを外部から受信すると共に前記入力手段が入力した識別情報を外部へ送信する送受信手段と、前記送受信手段で受信した前記識別情報に対応する音声サンプルデータの音声を用いて、文字データを音声に変換して出力する音声出力手段とを備えて成ることを特徴とする通信装置が提供される。
送受信手段は識別情報及び文字データが含まれるメールと前記音声サンプルデータを外部から受信すると共に前記入力手段が入力した識別情報を外部へ送信し、音声出力手段は前記送受信手段で受信した前記識別情報に対応する音声サンプルデータの音声を用いて、文字データを音声に変換して出力する。
【００１８】
ここで、前記識別情報に対応付けて音声サンプルデータを記憶する第２記憶手段を有し、前記音声出力手段は、前記送受信手段が受信したメールに含まれる識別情報に対応する音声サンプルデータが前記記憶手段に記憶されている場合、前記識別情報に対応する前記記憶手段に記憶された音声サンプルデータの音声を用いて、前記メールに含まれる文字データを音声に変換して出力するように構成してもよい。
【発明の効果】
【００１９】
本発明に係る音声サービスシステムによれば、簡単な構成で、文字データを音声で読み上げるための読み上げ用音声の種類を拡張することができ、より望ましい音声による読み上げが可能になる。また、読み上げ用音声を電子メールの送信者側で決定することが可能になる等の効果を奏する。
また、本発明に係る通信装置によれば、簡単な構成で、前述した音声サービスシステムを構築することが可能になる。
【発明を実施するための最良の形態】
【００２０】
以下、本発明の実施の形態に係る音声サービスシステム及び前記音声サービスシステムに好適な通信装置について、図面を参照して詳細に説明する。
図１は本発明の実施の形態に係る音声サービスシステムのブロック図であり、第１通信手段としてコンピュータによって構成されたサーバ１０８を用いると共に、第２通信手段として携帯電話１００を用い、これらを通信路としての携帯電話網１で接続した例である。携帯電話１００は、詳細は後述するが、ショートメールやＥメールといった電子メールの送受信が可能な携帯電話である。
【００２１】
図１において、携帯電話１００は、入力手段及び音声出力手段を構成する音声入出力部１０１、第２記憶手段を構成する第２メモリ１０２、第２中央処理装置（ＣＰＵ）１０３、信号の送受信を行うための第２送受信手段を構成するアンテナ１０４及び送受信部１０５、音声入出力部１０１とともに入力手段を構成する操作部１０６、表示手段を構成する表示部１０７を備えている。
アンテナ１０４及び送受信部１０５は、ショートメールやＥメールといった電子メール、音声、画像等を無線で送受信する。
【００２２】
ＣＰＵ１０３は、メモリ１０２に記憶されたプログラムを実行することにより、後述する種々の機能を実現する。例えば、ＣＰＵ１０２は、携帯電話１００全体や携帯電話１００の各構成要素を制御する第２制御手段を構成し、音声入出力部１０１とともに音声出力手段を構成する。
メモリ１０２は、ＣＰＵ１０３が実行するプログラムを予め記憶しており又、送受信部１０５で受信した電子メールや操作部１０６等から入力した文字データを記憶する。操作部１０６は、操作キー等によって構成されている。
【００２３】
一方、コンピュータによって構成されたサーバ１０８は、第１中央処理装置（ＣＰＵ）１０９、第１記憶手段を構成する第１メモリ１１０及び入出力部１１３を備えている。
ＣＰＵ１０９は、メモリ１１０に記憶されたプログラムを実行することにより、後述する種々の機能を実現する。例えば、ＣＰＵ１０９は、サーバ１０８全体や操作部や表示部（図示せず）等のサーバ１０８の各構成要素を制御する第１制御手段を構成し、音声決定手段を構成し、又、入出力部１１３とともに第１送受信手段を構成する。
【００２４】
また、メモリ１１０は、ＣＰＵ１１３が実行するプログラムが予め記憶されていると共に、各々が固有の識別情報に対応付けられた複数種類の音声サンプルデータ１１１、１１２、・・・、複数種類の音色データ及び複数種類の音程データ（図示せず）を記憶している。ここで、音声サンプルデータ１１１、１１２、・・・は、読み上げ用音声を表すデータ、音色データは読み上げ用音声の音色を表すデータ、音程データは読み上げ用音声の音程を表すデータである。尚、音声を決定する要素として、音色及び音程の２つの要素を想定している。
【００２５】
図２は、図１に示した携帯電話１００が、使用する音声データを決定する際の処理を示す図で、処理段階に応じて、携帯電話１００の表示部１０７に表示される表示画面の遷移を示す図である。
図３は、図１に示した携帯電話１００が、文字データの読み上げに使用する音声を表す音声サンプルデータをサーバ１０８からダウンロードし、該音声サンプルデータの音声を用いて、文字データを音声に変換して出力する場合の処理を示すフローチャートである。
また、図４は、図１に示したサーバ１０８が、携帯電話１００が使用する音声サンプルデータを決定する際の処理を示すフローチャートである。
【００２６】
図１〜図４において、先ず、携帯電話１００は、音声出力（読み上げ）に使用する音声を表す音声サンプルデータに対応付けられた固有の識別情報及び文字データ（例えばメール本文や送信元を表すデータ）を含む電子メールを、携帯電話網１を介してアンテナ１０４及び送受信部１０５によって受信すると、一旦メモリ１０２に記憶する。ＣＰＵ１０３は、メモリ１０２に記憶した電子メールに含まれる前記識別情報に対応する音声サンプルデータがメモリ１０２に記憶されているか否かを判断する（図３のステップＳ３０１）。
【００２７】
ステップＳ３０１において、ＣＰＵ１０３は、受信した電子メールに含まれる前記識別情報に対応する音声サンプルデータがメモリ１０２に記憶されていると判断した場合、当該音声サンプルデータの音声を用いて、前記電子メールの文字データを音声に変換し、音声入出力部１０１から音声で出力する。これにより、音声入出力部１０１からは、受信した電子メールの内容（送信元情報や電子メール本文）が音声で読み上げられる（ステップＳ３０４）。尚、読み上げる文字データはメモリ１０２に記憶したものでもよいが、必ずしもメモリ１０２に記憶したものである必要はない。
【００２８】
一方、ステップＳ３０１において、ＣＰＵ１０３は、受信した電子メールに含まれる前記識別情報に対応する音声サンプルデータがメモリ１０２に記憶されていないと判断した場合、操作部１０６の操作によって、サーバ１０８に対して音声サンプルデータの検索を要求する（ステップＳ３０２）。これにより、サーバ１０８から携帯電話１００に対して音声登録するか否かの問い合わせが行われ、携帯電話１００の表示部１０７には、音声登録を問い合わせる図２の表示画面２０１が表示される。尚、ここで、音声登録とは、読み上げ用音声を指定するための音声（読み上げ用音声指定音声）を使用して、未だ携帯電話１００のメモリ１０２に登録されていない読み上げ用音声を新たに記憶するための一連の処理をいう。前記読み上げ用音声指定音声データは、ユーザの音声に対応する音声データを用いる。
【００２９】
音声登録する場合には、操作部１０６で表示画面２０１における「ＹＥＳ」をクリックして、音声登録を要求する旨を携帯電話１００からサーバ１０８に送信する。これに応答してサーバ１０８は音声登録と判断すると（図４のステップＳ４０１）、携帯電話１００に対して、音声登録を促すガイダンスを送信し（ステップＳ４０２）、音声ガイダンスが音声入出力部１０１から出力されると共に、表示部１０７には音声登録を促すための表示画面２０２が表示される。
【００３０】
携帯電話１００のユーザが操作部１０６を操作して音声入出力部１０１から自己の音声を読み上げ用音声指定音声（登録音声）データとして入力し、該読み上げ用音声指定音声データをサーバ１０８に送信した後、操作部１０６によって表示画面２０２の「ＯＫ」をクリックすることによって音声登録処理を行う。
サーバ１０８は、前記読み上げ用音声指定音声音声データを受信して解析し（ステップＳ４０３）、メモリ１１０に記憶している複数の音声サンプルデータ１１１、１１２、・・・、の中から、前記読み上げ用音声指定音声音声データに最も類似する音声サンプルデータを検索することによって選択して決定する（ステップＳ４０４）。
【００３１】
次に、サーバ１０８は、入出力部１１３から携帯電話１００に対して、音程サンプルデータを選択することによって前記決定した音声サンプルデータの音程の修正を促す（ステップＳ４０５）。これにより、表示部１０７には、音程を選択して決定を促すための表示画面２０４が表示される。表示画面２０４には、メモリ１１０に記憶されている複数種類の音程データのサンプル（高さの異なる５種類の音程データのサンプル）が表示される。
ユーザが希望する音程データを操作部１０６でクリックすることによって読み上げ用音声の音程を指定するための音程指定データを入力すると、前記音程指定データは送受信部１０５からサーバ１０８の入出力部１１３に送信される。
【００３２】
サーバ１０８は、前記音程指定データに基づいて前記音声サンプルデータの音程を指定された音程に修正して最終的な音声サンプルデータを決定し（ステップＳ４０６）、入出力部１１３から、該音声サンプルデータに固有の識別情報とともに携帯電話１００に送信する。尚、音声サンプルデータの修正が不要な場合には、前記音声サンプルデータの修正に関する一連の処理は不要である。
携帯電話１００は、前記最終的な音声サンプルデータを受信して該音声サンプルデータに対応付けられた識別情報とともに対応関係を保ってメモリ１０２に記憶した後、メモリ１０２に記憶した前記音声サンプルデータの音声を用いて、メモリ１０２に記憶した前記電子メールの文字データを音声に変換し、音声入出力部１０１から音声で出力する。これにより、音声入出力部１０１からは、受信した電子メールの内容（送信元情報や電子メール本文）が音声で読み上げられる（ステップＳ３０３）。尚、読み上げる文字データは必ずしもメモリ１０２に記憶したものである必要はない。
【００３３】
一方、表示画面２０１において、携帯電話１００に読み上げ用音声を登録しない場合には、操作部１０６で「ＮＯ」をクリックして、音声を登録しない旨を携帯電話１００からサーバ１０８に送信する。これに応答してサーバ１０８は、携帯電話１００に対して、音色決定を促す。これにより、表示部１０７には、音色選択を促すための表示画面２０３が表示される。表示画面２０３には、メモリ１１０に記憶されている複数種類の音色データのサンプル（男性１の音色、男性２の音色、女性１の音色、女性２の音色）が表示される。
ユーザが希望する音色データを操作部１０６でクリックすることによって読み上げ用音声の音色を指定するための音色指定データを入力して音色を決定すると、前記音色指定データは送受信部１０５からサーバ１０８の入出力部１１３に送信される。これにより、音色が選択されて決定される（ステップＳ４０７）。
【００３４】
次に、サーバ１０８は、入出力部１１３から携帯電話１００に対して、音程決定を促す。これにより、表示部１０７には、音程決定を促すための表示画面２０４が表示される。携帯電話１００のユーザが操作部１０６を操作して、音声入出力部１０１から音程を選択して決定すると、その旨がサーバ１０８に送信される。これにより、音色及び音程が決定される。サーバ１０８は、前記決定された音色及び音程のデータに対応する音声サンプルデータを、該音声サンプルデータに固有の識別情報とともに携帯電話１００に送信する。
【００３５】
携帯電話１００は、前記音声サンプルデータを受信して対応する識別情報とともにメモリ１０２に記憶した後、メモリ１０２に記憶した前記音声サンプルデータに対応する音声を用いて、メモリ１０２に記憶した前記電子メールの文字データを音声に変換し、音声入出力部１０１から音声で出力する。これにより、音声入出力部１０１からは、受信した電子メールの内容（送信元情報や電子メール本文）が音声で読み上げられる（ステップＳ３０３）。このように、固有の識別情報及び文書データを含む電子メールの配信サービスを利用することにより、簡単な構成で読み上げ音声を拡張できる。また、電子メールの送信時に読み上げ音声の識別情報を付与することにより、メール送信者が読み上げ音声を決定することが可能になる。
【００３６】
以上説明したように、本実施の形態は、読み上げ用音声のデータである複数種類の音声サンプルデータを記憶するメモリ１１０と、メモリ１１０に記憶した音声サンプルデータの中から、携帯電話１００から受信した読み上げ用音声を指定するための音声である読み上げ用音声指定音声に最も類似する音声サンプルデータを決定する音声決定手段と、携帯電話１００から読み上げ用音声指定音声データを受信すると共に前記音声決定手段が決定した音声サンプルデータを携帯電話１００に送信する第１送受信手段とを有するサーバ１０８と、
前記読み上げ用音声指定音声データを入力する入力手段と、前記入力手段が入力した読み上げ用音声指定音声データを送信すると共に前記音声サンプルデータを受信するアンテナ１０４及び送受信部１０５と、アンテナ１０４及び送受信部１０５で受信した音声サンプルデータの音声を用いて、文字データを音声に変換して出力する音声出力手段とを有する携帯電話１００と、を備えている。
【００３７】
また、前記サーバ１０８は、複数種類の音色データ及び音程データを記憶するメモリ１１０と、メモリ１１０に記憶した音色データ及び音程データの中の携帯電話１００によって指定された音色データ及び音程データによって決定される音声を音声サンプルデータとして決定する音声決定手段と、携帯電話１００から前記音色及び音程の指定を受信すると共に前記音声決定手段が決定した音声サンプルデータを携帯電話に送信する第１送受信手段とを有しており、前記携帯電話１００は、音色及び音程を指定するための音色指定データ及び音程指定データを入力するための入力手段と、前記入力手段で入力した音色指定データ及び音程指定データを送信すると共に音声サンプルデータを受信するアンテナ１０４及び送受信部１０５と、アンテナ１０４及び送受信部１０５で受信した音声サンプルデータの音声を用いて、文字データを音声に変換して出力する音声出力手段とを有している。
【００３８】
また、前記サーバ１０８は、各々固有の識別情報が対応付けられた複数種類の音声サンプルデータを記憶するメモリ１１０と、メモリ１１０に記憶した音声サンプルデータの中から、第１送受信手段が携帯電話１００から受信した識別情報に対応する音声サンプルデータを選択して決定する音声決定手段と、携帯電話１００から識別情報を受信すると共に前記音声決定手段が決定した音声サンプルデータを携帯電話１００に送信する第１送受信手段とを有しており、前記携帯電話１００は、前記識別情報を入力する入力手段と、識別情報及び文字データが含まれるメールと前記音声サンプルデータを受信すると共に前記入力手段が入力した識別情報を送信するアンテナ１０４及び送受信部１０５と、アンテナ１０４及び送受信部１０５で受信した音声サンプルデータの音声を用いて、文字データを音声に変換して出力する音声出力手段とを有している。
【００３９】
したがって、サーバ１０８に記憶している音声サンプルデータの中の、携帯電話１００が要求した音声に最も類似する音声サンプルデータを用いて読み上げを行うため、簡単な構成で、文字データを音声で読み上げるための読み上げ用音声の種類を拡張することができ、より望ましい音声による読み上げが可能になる。また、読み上げ用音声を電子メールの送信者側で決定することが可能になる等の効果を奏する。また、携帯電話１００を用いて、簡単な構成で、前述した音声サービスシステムを構築することが可能になる等の効果を奏する。
【００４０】
尚、前記実施の形態では、文字データの例として電子メールの例で説明したが、電子メールではなく単なる文字データを音声に変換して音声出力する場合にも適用可能である。
また、通信手段として携帯電話１００の例で説明したが、携帯電話、ＰＨＳあるいはＰＤＡ等の携帯型通信装置をはじめとして、パーソナルコンピュータ等、通信可能で文字データを音声に変換して出力可能な通信装置にも適用可能である。
【産業上の利用可能性】
【００４１】
携帯電話のみならず、ＰＨＳやＰＤＡ等のメール機能を有する携帯型通信装置をはじめとして、通信機能を有すると共に文字データを音声出力することが可能な通信装置や、前記装置を用いた音声サービスシステムに適用することが可能である。
【図面の簡単な説明】
【００４２】
【図１】本発明の実施の形態に係る音声サービスシステムのブロック図である。
【図２】本発明の実施の形態に係る携帯電話の処理を示す遷移図である。
【図３】本発明の実施の形態に係る携帯電話の処理を示すフローチャートである。
【図４】本発明の実施の形態に使用するサーバの処理を示すフローチャートである。
【符号の説明】
【００４３】
１００・・・第２通信手段を構成する携帯電話
１０１・・・入力手段及び音声出力手段を構成する音声入出力部
１０２・・・第２記憶手段を構成するメモリ
１０３・・・制御手段及び音声出力手段を構成する央処理装置
１０４・・・第２送受信手段を構成するアンテナ１０４
１０５・・・第２送受信手段を構成する送受信部
１０６・・・入出力手段を構成する操作部
１０７・・・表示手段を構成する表示部
１０８・・・第１通信手段を構成するサーバ
１０９・・・制御手段、音声決定手段及び第１送受信手段を構成する中央処理装置
１１０・・・第１記憶手段を構成するメモリ
１１１、１１２・・・音声サンプルデータ
【図１】
2006195507.tif 000003
【図２】
2006195507.tif 000004
【図３】
2006195507.tif 000005
【図４】
2006195507.tif 000006